(57)【要約】【課題】印刷物の基準濃度の変更に対して容易且つ迅速に対応し、印刷物の色を高精度に予測することのできる印刷色予測方法及び予測システムを提供する。【解決手段】プロファイル作成装置２４において、基準濃度条件で印刷したカラーチャートＣ１の基準濃度分光反射率と、Ｃ、Ｍ、Ｙ、Ｋの１つの色の濃度のみを所定変更量だけ変更して印刷したカラーチャートＣ１の第１変更濃度分光反射率と、Ｃ、Ｍ、Ｙ、Ｋの色の濃度を同一の前記所定変更量だけ変更して印刷したカラーチャートＣ１の第２変更濃度分光反射率とを求め、前記基準濃度分光反射率と、前記基準濃度分光反射率及び前記第１変更濃度分光反射率の差分量と、前記第２変更濃度分光反射率を得ることのできる補正係数とを用いて、所望の目標濃度を得ることのできる印刷予測プロファイル２０を作成し、この印刷予測プロファイル２０を用いて、所望の色の濃度を変更した際の印刷物における色を高精度に予測する。【選択図】図２
2010074232.tif 000002
【特許請求の範囲】
【請求項１】
印刷機を用いて作成される印刷物の色を予測する印刷色予測方法において、
基準濃度の印刷物を得るための基準濃度条件を印刷機に設定して基準濃度カラーチャートを作成し、前記基準濃度カラーチャートを測定することで基準測定値を求めるステップと、
前記印刷物を作成するための各色材の濃度をそれぞれ所定変更量だけ単独に変更する一方、濃度を変更する当該色材を除く他の色材の濃度を前記基準濃度条件に固定した第１変更濃度条件を前記印刷機に設定して第１変更濃度カラーチャートを作成し、前記第１変更濃度カラーチャートを測定することで第１変更測定値を求めるステップと、
前記印刷物を作成するための各色材の濃度をそれぞれ同一の前記所定変更量だけ変更する第２変更濃度条件を前記印刷機に設定して第２変更濃度カラーチャートを作成し、前記第２変更濃度カラーチャートを測定することで第２変更測定値を求めるステップと、
前記基準測定値と前記第１変更測定値との差分量を前記各色材毎に求めるステップと、
前記各色材の前記差分量を用いて前記基準測定値を修正し、前記第２変更測定値を得ることのできる補正係数を求めるステップと、
を有し、所望の変更濃度条件を設定したとき、前記基準測定値、前記変更濃度条件に対応する前記各色材の前記差分量及び前記補正係数を用いて、前記印刷物の色を予測することを特徴とする印刷色予測方法。
【請求項２】
請求項１記載の方法において、
前記基準測定値は、所望の前記変更濃度条件に対応する前記各色材の前記差分量に前記補正係数を乗算した値を加算して修正され、修正された前記基準測定値を用いて前記印刷物の色を予測することを特徴とする印刷色予測方法。
【請求項３】
請求項２記載の方法において、
前記補正係数は、前記所定変更量毎に求められることを特徴とする印刷色予測方法。
【請求項４】
請求項２記載の方法において、
前記各色材に対する前記差分量を所望の前記変更濃度条件に従って補間することで補間差分量を求めるステップと、
同一の前記色材における異なる前記所定変更量毎の前記各補正係数を、所望の前記変更濃度条件に従って補間することで補間補正係数を求めるステップと、
を有し、所望の前記変更濃度条件を設定したとき、前記基準測定値、前記補間差分量及び前記補間補正係数を用いて、前記印刷物の色を予測することを特徴とする印刷色予測方法。
【請求項５】
請求項１記載の方法において、
前記基準測定値、前記第１変更測定値及び前記第２変更測定値は、分光反射率であることを特徴とする印刷色予測方法。
【請求項６】
請求項１記載の方法において、
前記基準測定値、前記第１変更測定値及び前記第２変更測定値は、分光濃度であることを特徴とする印刷色予測方法。
【請求項７】
請求項１記載の方法において、
前記基準測定値、前記第１変更測定値及び前記第２変更測定値は、測色濃度であることを特徴とする印刷色予測方法。
【請求項８】
請求項１記載の方法において、
前記基準測定値、前記第１変更測定値及び前記第２変更測定値は、測色値であることを特徴とする印刷色予測方法。
【請求項９】
印刷機を用いて作成される印刷物の色を予測する印刷色予測システムにおいて、
基準濃度の印刷物を得るための基準濃度条件を印刷機に設定して作成される基準濃度カラーチャートを測定して得られる基準測定値と、前記印刷物を作成するための各色材の濃度をそれぞれ所定変更量だけ単独に変更する一方、濃度を変更する当該色材を除く他の色材の濃度を前記基準濃度条件に固定した第１変更濃度条件を前記印刷機に設定して作成される第１変更濃度カラーチャートを測定して得られる第１変更測定値との差分量を前記各色材毎に算出する差分量算出部と、
前記各色材の前記差分量を用いて前記基準測定値を修正し、前記印刷物を作成するための各色材の濃度をそれぞれ同一の前記所定変更量だけ変更する第２変更濃度条件を前記印刷機に設定して作成される第２変更濃度カラーチャートを測定して得られる第２変更測定値を得ることのできる補正係数を求める補正係数算出部と、
所望の変更濃度条件が設定された当該色材に対する当該差分量と前記補正係数とを用いて前記基準測定値を修正し、前記基準濃度カラーチャートを作成するデータと修正された前記基準測定値との関係に基づき、印刷予測プロファイルを作成するプロファイル作成部と、
を備え、前記印刷予測プロファイルを用いて前記印刷物の色を予測することを特徴とする印刷色予測システム。
【請求項１０】
請求項９記載のシステムにおいて、
前記印刷予測プロファイルを用いて算出された前記印刷物の色予測値を出力装置の出力データに変換する出力プロファイルを有し、前記出力プロファイルを用いて前記出力装置により前記印刷物のプルーフを出力することを特徴とする印刷色予測システム。
【請求項１１】
請求項９記載のシステムにおいて、
前記プロファイル作成部は、前記基準濃度と異なる目標濃度が設定された当該色材に対する当該差分量に前記補正係数を乗算した値を前記基準測定値に加算することにより、前記基準測定値を修正することを特徴とする印刷色予測システム。
【請求項１２】
請求項１１記載のシステムにおいて、
前記プロファイル作成部は、前記各色材に対する前記差分量を所望の前記変更濃度条件に従って補間した補間差分量に対して、同一の前記色材の異なる前記所定変更量毎の前記各補正係数を所望の前記変更濃度条件に従って補間した補間補正係数を乗算した値を前記基準測定値に加算することにより、前記基準測定値を修正することを特徴とする印刷色予測システム。
【請求項１３】
請求項９記載のシステムにおいて、
前記基準測定値、前記第１変更測定値及び前記第２変更測定値は、分光反射率であることを特徴とする印刷色予測システム。
【請求項１４】
請求項９記載のシステムにおいて、
前記基準測定値、前記第１変更測定値及び前記第２変更測定値は、分光濃度であることを特徴とする印刷色予測システム。
【請求項１５】
請求項９記載のシステムにおいて、
前記基準測定値、前記第１変更測定値及び前記第２変更測定値は、測色濃度であることを特徴とする印刷色予測システム。
【請求項１６】
請求項９記載のシステムにおいて、
前記基準測定値、前記第１変更測定値及び前記第２変更測定値は、測色値であることを特徴とする印刷色予測システム。
【請求項１７】
請求項９記載のシステムにおいて、
前記作成部は、前記印刷物に使用する印刷用紙の色情報に基づき、前記印刷予測プロファイルを修正することを特徴とする印刷色予測システム。
【請求項１８】
請求項９記載のシステムにおいて、
前記作成部は、前記印刷機のドットゲインの変動前後の前記基準測定値の変化に基づき、前記印刷予測プロファイルを修正することを特徴とする印刷色予測システム。
【請求項１９】
請求項９記載のシステムにおいて、
前記作成部は、前記印刷物を作成する色材の変更前後の前記基準測定値の変化に基づき、前記印刷予測プロファイルを修正することを特徴とする印刷色予測システム。
【発明の詳細な説明】
【技術分野】
【０００１】
本発明は、印刷機を用いて作成される印刷物の色を予測する印刷色予測方法及び予測システムに関する。
【背景技術】
【０００２】
印刷物は、例えば、Ｃ、Ｍ、Ｙ、Ｋの各色毎のフイルム原版を作成し、各フイルム原版からＰＳ版（Ｐｒｅｓｅｎｓｉｔｉｚｅｄ  Ｐｌａｔｅ）を焼き付けて現像した後、これらのＰＳ版を輪転機等の印刷機に装着し、インキの膜厚、湿し水、温度等の印刷条件を調整して作成される。
【０００３】
このように、印刷物は、複雑な工程を経て作成されている。従って、所望の色合いからなる印刷物を得るため、印刷物の作成に先立ち、モニタやカラープリンタ等の簡便な出力装置を用いてプルーフを作成し、そのプルーフが目標とする印刷物の色合いとなるように、印刷条件を調整する作業が行われる。
【０００４】
例えば、特許文献１には、印刷機とカラープリンタ等の出力装置とでそれぞれカラーチャートを作成して測色し、Ｃ、Ｍ、Ｙ、Ｋの各インキの網点％と測色値との対応関係を表すＩＣＣ（Ｉｎｔｅｒｎａｔｉｏｎａｌ  Ｃｏｌｏｒ  Ｃｏｎｓｏｒｔｉｕｍ）プロファイルを求め、このＩＣＣプロファイルを用いて印刷物のプルーフを作成する方法が開示されている。この場合、印刷物の濃度は、通常、ユーザである印刷会社等がベタ画像（網点％が１００％の画像）の濃度を基準濃度として規定しており、この基準濃度が得られるように、印刷機におけるインキの膜厚等の印刷条件が調整される。
【０００５】
【特許文献１】特開２００６−１２８７６０号公報
【発明の開示】
【発明が解決しようとする課題】
【０００６】
ところで、印刷物の基準濃度は、その印刷物を所望するユーザによって異なる場合があり、この基準濃度を変更するときには、カラーチャートを再度印刷してＩＣＣプロファイルを作成し直さなければならない。この場合、新たな基準濃度に応じて、多数の色パッチからなるカラーチャートを印刷して測色しなければならないため、その処理に多大な時間を要してしまう。
【０００７】
本発明は、前記の不具合を解消するためになされたものであり、印刷物の基準濃度の変更に対して容易且つ迅速に対応し、印刷物の色を高精度に予測することのできる印刷色予測方法及び予測システムを提供することを目的とする。
【課題を解決するための手段】
【０００８】
本発明の印刷色予測方法は、印刷機を用いて作成される印刷物の色を予測する印刷色予測方法において、
基準濃度の印刷物を得るための基準濃度条件を印刷機に設定して基準濃度カラーチャートを作成し、前記基準濃度カラーチャートを測定することで基準測定値を求めるステップと、
前記印刷物を作成するための各色材の濃度をそれぞれ所定変更量だけ単独に変更する一方、濃度を変更する当該色材を除く他の色材の濃度を前記基準濃度条件に固定した第１変更濃度条件を前記印刷機に設定して第１変更濃度カラーチャートを作成し、前記第１変更濃度カラーチャートを測定することで第１変更測定値を求めるステップと、
前記印刷物を作成するための各色材の濃度をそれぞれ同一の前記所定変更量だけ変更する第２変更濃度条件を前記印刷機に設定して第２変更濃度カラーチャートを作成し、前記第２変更濃度カラーチャートを測定することで第２変更測定値を求めるステップと、
前記基準測定値と前記第１変更測定値との差分量を前記各色材毎に求めるステップと、
前記各色材の前記差分量を用いて前記基準測定値を修正し、前記第２変更測定値を得ることのできる補正係数を求めるステップと、
を有し、所望の変更濃度条件を設定したとき、前記基準測定値、前記変更濃度条件に対応する前記各色材の前記差分量及び前記補正係数を用いて、前記印刷物の色を予測することを特徴とする。
【０００９】
また、本発明の印刷色予測システムは、印刷機を用いて作成される印刷物の色を予測する印刷色予測システムにおいて、
基準濃度の印刷物を得るための基準濃度条件を印刷機に設定して作成される基準濃度カラーチャートを測定して得られる基準測定値と、前記印刷物を作成するための各色材の濃度をそれぞれ所定変更量だけ単独に変更する一方、濃度を変更する当該色材を除く他の色材の濃度を前記基準濃度条件に固定した第１変更濃度条件を前記印刷機に設定して作成される第１変更濃度カラーチャートを測定して得られる第１変更測定値との差分量を前記各色材毎に算出する差分量算出部と、
前記各色材の前記差分量を用いて前記基準測定値を修正し、前記印刷物を作成するための各色材の濃度をそれぞれ同一の前記所定変更量だけ変更する第２変更濃度条件を前記印刷機に設定して作成される第２変更濃度カラーチャートを測定して得られる第２変更測定値を得ることのできる補正係数を求める補正係数算出部と、
所望の変更濃度条件が設定された当該色材に対する当該差分量と前記補正係数とを用いて前記基準測定値を修正し、前記基準濃度カラーチャートを作成するデータと修正された前記基準測定値との関係に基づき、印刷予測プロファイルを作成するプロファイル作成部と、
を備え、前記印刷予測プロファイルを用いて前記印刷物の色を予測することを特徴とする。
【発明の効果】
【００１０】
本発明の印刷色予測方法及び予測システムでは、基準濃度を変更して印刷物を作成する際、印刷に使用する各色材の濃度の全ての組み合わせに対するカラーチャートを作成することなく、必要最小限のカラーチャートを測定して得た測定値を用いて、変更した基準濃度に対する印刷予測プロファイルを容易且つ迅速に作成し、この印刷予測プロファイルを用いて印刷物の色を高精度に予測することができる。
【発明を実施するための最良の形態】
【００１１】
図１は、本実施形態の印刷色予測システム１０を示す。印刷色予測システム１０は、Ｃ、Ｍ、Ｙ、Ｋの各色を制御する画像データＣ１、Ｍ１、Ｙ１、Ｋ１を編集する編集装置１２と、編集された画像データＣ１、Ｍ１、Ｙ１、Ｋ１を用いて印刷物Ｐ１を作成する印刷機１４と、画像データＣ１、Ｍ１、Ｙ１、Ｋ１を、色予測するための画像データＣ２、Ｍ２、Ｙ２、Ｋ２に変換する色変換装置１６と、画像データＣ２、Ｍ２、Ｙ２、Ｋ２を用いて印刷物Ｐ１のプルーフＰ２を作成するプリンタ１８と、色変換装置１６に組み込まれる印刷予測プロファイル２０及びプリンタプロファイル２２を作成するプロファイル作成装置２４とを備える。
【００１２】
印刷予測プロファイル２０は、印刷機１４によって作成される印刷物Ｐ１のデバイスに依存しない測色値、例えば、測色値Ｘ、Ｙ、Ｚ又は測色値Ｌ*、ａ*、ｂ*を予測するためのプロファイルであり、既知の画像データＣ、Ｍ、Ｙ、Ｋと、この画像データＣ、Ｍ、Ｙ、Ｋから印刷機１４を用いて作成されたカラーチャートＣ１の測定値とに基づいて、プロファイル作成装置２４により作成される。
【００１３】
プリンタプロファイル２２は、印刷予測プロファイル２０によって予測された印刷物Ｐ１のデバイスに依存しない測色値、例えば、測色値Ｘ、Ｙ、Ｚ又は測色値Ｌ*、ａ*、ｂ*を、プリンタ１８の出力特性に依存する画像データＣ、Ｍ、Ｙ、Ｋに変換するためのプロファイルであり、既知の画像データＣ、Ｍ、Ｙ、Ｋと、この画像データＣ、Ｍ、Ｙ、Ｋからプリンタ１８を用いて作成されたカラーチャートＣ２の測定値とに基づいて、プロファイル作成装置２４により作成される。
【００１４】
なお、カラーチャートＣ１、Ｃ２は、Ｃ、Ｍ、Ｙ、Ｋの各インキ（色材）の網点％を０〜１００％の範囲で所定間隔に設定して作成される１次色（単色）〜４次色の多数のカラーパッチから構成される。
【００１５】
図２は、プロファイル作成装置２４のうち、印刷予測プロファイル２０を作成する機能の構成ブロック図である。プロファイル作成装置２４は、基準濃度条件を印刷機１４に設定して作成されたカラーチャートＣ１（基準濃度カラーチャート）の基準濃度分光反射率（基準測定値）、第１変更濃度条件を印刷機１４に設定して作成されたカラーチャートＣ１（第１変更濃度カラーチャート）の第１変更濃度分光反射率（第１変更測定値）、第２変更濃度条件を印刷機１４に設定して作成されたカラーチャートＣ１（第２変更濃度カラーチャート）の第２変更濃度分光反射率（第２変更測定値）をそれぞれ測定する分光反射率測定器３４と、これらの分光反射率を記憶する分光反射率記憶部３６と、基準濃度分光反射率と第１変更濃度分光反射率との各インキ毎の分光反射率差分量を算出する分光反射率差分量算出部３８と、分光反射率差分量を記憶する分光反射率差分量記憶部４０と、基準濃度分光反射率と第２変更濃度分光反射率と分光反射率差分量とを用いて補正係数を算出する補正係数算出部４２と、補正係数を記憶する補正係数記憶部４４と、Ｃ、Ｍ、Ｙ、Ｋの各色に対して、所望の変更濃度条件である目標濃度を設定する目標濃度設定部４６と、目標濃度、基準濃度分光反射率、分光反射率差分量及び補正係数を用いて、目標濃度を得ることのできる目標濃度分光反射率を算出する目標濃度分光反射率算出部４８と、目標濃度分光反射率を用いて印刷予測プロファイル２０を作成する印刷予測プロファイル作成部５０とを備える。
【００１６】
ここで、基準濃度条件とは、Ｃ、Ｍ、Ｙ、Ｋの各インキに対する網点％を１００％に設定してカラーチャートＣ１を作成した際、そのカラーチャートＣ１の各インキの濃度がユーザである印刷会社等で規定している基準濃度となるように、印刷機１４の膜厚等の印刷条件を調整する条件である。また、第１変更濃度条件とは、Ｃ、Ｍ、Ｙ、Ｋの各インキの濃度を基準濃度からそれぞれ所定変更量だけ単独に変更する一方、濃度を変更するインキを除く他のインキの濃度を基準濃度に固定する条件である。さらに、第２変更濃度条件とは、Ｃ、Ｍ、Ｙ、Ｋの各インキの濃度をそれぞれ第１変更濃度条件と同じ所定変更量だけ変更する条件である。
【００１７】
図３は、プロファイル作成装置２４のうち、プリンタプロファイル２２を作成する機能の構成ブロック図である。プロファイル作成装置２４は、プリンタ１８により作成したカラーチャートＣ２の測色値、例えば、測色値Ｘ、Ｙ、Ｚ又は測色値Ｌ*、ａ*、ｂ*を測定する測色計５２と、測定された測色値を用いてプリンタプロファイル２２を作成するプリンタプロファイル作成部５４とを備える。
【００１８】
本実施形態の印刷色予測システム１０は、基本的には以上のように構成されるものであり、次に、この印刷色予測システム１０を用いた印刷色予測方法につき、図４に示すフローチャートに基づいて説明する。
【００１９】
先ず、編集装置１２から既知の画像データＣ１、Ｍ１、Ｙ１、Ｋ１を印刷機１４に供給し、カラーパッチの単色ベタ濃度が基準濃度となる基準濃度条件を印刷機１４に設定してカラーチャートＣ１を印刷する（ステップＳ１）。この場合、０％〜１００％の範囲における所定の間隔で画像データＣ１、Ｍ１、Ｙ１、Ｋ１の各網点％を設定し、複数のカラーパッチからなるカラーチャートＣ１を作成する。
【００２０】
基準濃度条件に設定された印刷機１４により作成されたカラーチャートＣ１は、分光反射率測定器３４によって基準濃度分光反射率が測定され（ステップＳ２）、分光反射率記憶部３６に記憶される（ステップＳ３）。
【００２１】
次いで、印刷機１４の基準濃度条件を第１変更濃度条件及び第２変更濃度条件にそれぞれ変更し、ステップＳ１のカラーチャートＣ１を作成した場合と同一の０％〜１００％の範囲における所定の間隔からなる画像データＣ１、Ｍ１、Ｙ１、Ｋ１を用いて、カラーチャートＣ１を印刷する（ステップＳ４）。
【００２２】
この場合、第１変更濃度条件は、網点％が１００％に設定されたＣ、Ｍ、Ｙ、Ｋの各インキによって作成されるカラーパッチの基準濃度を、各インキ毎に所定変更量だけ単独に変更する一方、変更する当該インキを除く他のインキの濃度を基準濃度に固定する条件であり、基準濃度に対して、例えば、光学濃度で−０．２、−０．１、＋０．１、＋０．２となるように設定される。従って、第１変更濃度条件に従って作成されるカラーチャートＣ１は、１００％のＣ、Ｍ、Ｙ、Ｋの各色を、基準濃度−０．２、基準濃度−０．１、基準濃度＋０．１、基準濃度＋０．２に設定した１６枚となる。
【００２３】
また、第２変更濃度条件は、網点％が１００％に設定されたＣ、Ｍ、Ｙ、Ｋの各インキによって作成されるカラーパッチの基準濃度を、第１変更濃度条件と同じ所定変更量だけ変更する条件であり、例えば、１００％のＣ、Ｍ、Ｙ、Ｋの各色を、基準濃度−０．２、基準濃度−０．１、基準濃度＋０．１、基準濃度＋０．２に設定した４枚のカラーチャートＣ１が作成される。
【００２４】
第１変更濃度条件及び第２変更濃度条件に従って印刷機１４により作成された複数のカラーチャートＣ１は、それぞれ分光反射率測定器３４によって第１変更濃度分光反射率及び第２変更濃度分光反射率が測定され（ステップＳ５）、分光反射率記憶部３６に記憶される（ステップＳ６）。
【００２５】
ここで、例えば、Ｃ１００％のみからなる単色ベタ濃度パッチの基準濃度条件での基準濃度分光反射率をＲC(std)、Ｍ１００％のみからなる単色ベタ濃度パッチの基準濃度条件での基準濃度分光反射率をＲM(std)、Ｃ１００％のみからなる単色ベタ濃度パッチの濃度を所定変更量だけ変更する第１変更濃度条件での第１変更濃度分光反射率を（ＲC(std)＋ΔＲC）、Ｍ１００％のみからなる単色ベタ濃度パッチの濃度を所定変更量だけ変更する第１変更濃度条件での第１変更濃度分光反射率を（ＲM(std)＋ΔＲM）とすると、Ｃ１００％且つＭ１００％の網点％からなるカラーパッチの濃度をともに第１変更濃度条件と同じ所定変更量だけ変更する第２変更濃度条件で作成したときの第２変更濃度分光反射率ＲCMは、理想的には、
ＲCM＝（ＲC(std)＋ΔＲC）・（ＲM(std)＋ΔＲM）
＝ＲC(std)・ＲM(std)
＋｛ＲM(std)・（ＲC(std)＋ΔＲC）−ＲC(std)・ＲM(std)｝
＋｛ＲC(std)・（ＲM(std)＋ΔＲM）−ＲC(std)・ＲM(std)｝
＋ΔＲC・ΔＲM                                      …（１）
と表すことができる。この場合、（１）式の右辺第４項を微小量として０とみなすと、右辺第１項は、Ｃ１００％且つＭ１００％の網点％からなるカラーパッチを基準濃度条件で作成したときの基準濃度分光反射率を表し、右辺第２項は、Ｃ１００％且つＭ１００％の網点％からなるカラーパッチのＣ１００％のみの濃度を第１変更濃度条件に変更したときの第１変更濃度分光反射率の前記基準濃度分光反射率からの差分量を表し、右辺第３項は、Ｃ１００％且つＭ１００％の網点％からなるカラーパッチのＭ１００％のみの濃度を第１変更濃度条件に変更したときの第１変更濃度分光反射率の前記基準濃度分光反射率からの差分量を表している。
【００２６】
従って、Ｃ及びＭの両方の色の濃度を変更させたときの第２変更濃度分光反射率ＲCMは、Ｃ又はＭの一方の濃度を固定した状態で他方の濃度を変更させたときの各分光反射率差分量を、基準濃度条件での基準濃度分光反射率ＲC(std)・ＲM(std)に加算して求めることができる。
【００２７】
図５は、基準濃度条件で作成されたＣ１００％且つＭ１００％の網点％からなるカラーパッチの基準濃度分光反射率ＲCM(std)と、Ｃ１００％を基準濃度に固定し、Ｍ１００％のみを（基準濃度−０．１）に変更した第１変更濃度条件で作成したカラーパッチの第１変更濃度分光反射率ＲCM(M-0.1)と、Ｍ１００％を基準濃度に固定し、Ｃ１００％のみを（基準濃度−０．１）に変更した第１変更濃度条件で作成したカラーパッチの第１変更濃度分光反射率ＲCM(C-0.1)と、Ｃ１００％及びＭ１００％をともに（基準濃度−０．１）に変更した第２変更濃度条件で作成したカラーパッチの第２変更濃度分光反射率ＲCM(ALL-0.1)との測定結果を示す。
【００２８】
また、図６は、基準濃度条件で作成されたＣ１００％且つＭ１００％の網点％からなるカラーパッチの基準濃度分光反射率ＲCM(std)と、Ｃ１００％を基準濃度に固定し、Ｍ１００％のみを（基準濃度＋０．１）に変更した第１変更濃度条件で作成したカラーパッチの第１変更濃度分光反射率ＲCM(M+0.1)と、Ｍ１００％を基準濃度に固定し、Ｃ１００％のみを（基準濃度＋０．１）に変更した第１変更濃度条件で作成したカラーパッチの第１変更濃度分光反射率ＲCM(C+0.1)と、Ｃ１００％及びＭ１００％をともに（基準濃度＋０．１）に変更した第２変更濃度条件で作成したカラーパッチの第２変更濃度分光反射率ＲCM(ALL+0.1)との測定結果を示す。
【００２９】
この場合、第２変更濃度分光反射率ＲCM(ALL-0.1)は、
ＲCM(ALL-0.1)＝ＲCM(std)＋（ＲCM(C-0.1)−ＲCM(std)）
＋（ＲCM(M-0.1)−ＲCM(std)）
として、第２変更濃度分光反射率ＲCM(ALL+0.1)は、
ＲCM(ALL+0.1)＝ＲCM(std)＋（ＲCM(C+0.1)−ＲCM(std)）
＋（ＲCM(M+0.1)−ＲCM(std)）
として近似的に求められることが了解できる。
【００３０】
以上の結果から、所望の変更濃度条件でＣ、Ｍ、Ｙ、Ｋを任意の目標濃度に変更したときの目標とする分光反射率である目標濃度分光反射率Ｒは、基準濃度分光反射率をＲstd、Ｃのみの濃度を変更したときの分光反射率差分量をＲΔC、Ｍのみの濃度を変更したときの分光反射率差分量をＲΔM、Ｙのみの濃度を変更したときの分光反射率差分量をＲΔY、Ｋのみの濃度を変更したときの分光反射率差分量をＲΔKとすると、（１）式から、
Ｒ＝Ｒstd＋ＲΔC＋ＲΔM＋ＲΔY＋ＲΔK                        …（２）
として近似的に求めることができる。
【００３１】
ところで、（２）式は、あくまでも近似式であり、所望の変更濃度条件で得られる分光反射率Ｒが、前記変更濃度条件に従って変更される各インキの分光反射率差分量の単純加算によって求められるとしたものであるが、実際の印刷物においては、各インキの濃度が他のインキの濃度に影響を与えることがあり、（２）式によって正確な目標濃度分光反射率Ｒが得られないおそれがある。
【００３２】
そこで、誤差の影響を考慮した補正係数αを導入し、（２）式を次の（３）式に置き換える。
Ｒ＝Ｒstd＋α・（ＲΔC＋ＲΔM＋ＲΔY＋ＲΔK）                …（３）
【００３３】
（３）式を変形すると、補正係数αは、
α＝（Ｒ−Ｒstd）／（ＲΔC＋ＲΔM＋ＲΔY＋ＲΔK）            …（４）
となる。（４）式を用いて補正係数αを求めることにより、所望の変更濃度条件での目標濃度分光反射率Ｒを高精度に求めることができる。
【００３４】
先ず、分光反射率差分量算出部３８は、基準濃度条件で作成された基準濃度からなるカラーチャートＣ１の基準濃度分光反射率Ｒstdと、Ｃ、Ｍ、Ｙ、Ｋの各インキの濃度を基準濃度からそれぞれ所定変更量だけ単独に変更する第１変更濃度条件で作成されたカラーチャートＣ１の各第１変更濃度分光反射率を分光反射率記憶部３６から読み出し、これらの差である分光反射率差分量ＲΔC、ＲΔM、ＲΔY、ＲΔKを算出する（ステップＳ７）。なお、分光反射率差分量ＲΔC、ＲΔM、ＲΔY、ＲΔKは、例えば、１００％のＣ、Ｍ、Ｙ、Ｋの各色を、基準濃度−０．２、基準濃度−０．１、基準濃度＋０．１、基準濃度＋０．２に設定する各第１変更濃度条件に対して求められる。算出された分光反射率差分量ＲΔC、ＲΔM、ＲΔY、ＲΔKは、分光反射率差分量記憶部４０に記憶される（ステップＳ８）。
【００３５】
次に、補正係数算出部４２は、基準濃度分光反射率Ｒstdと、分光反射率差分量ＲΔC、ＲΔM、ＲΔY、ＲΔKと、第２変更濃度条件で作成されたカラーチャートＣ１の分光反射率Ｒとを（４）式に代入することにより、各波長毎に補正係数αを算出する（ステップＳ９）。また、補正係数αは、第２変更濃度条件毎に作成された各カラーチャートＣ１の各パッチ毎に算出される。算出された補正係数αは、補正係数記憶部４４に記憶される（ステップＳ１０）。
【００３６】
なお、補正係数αの値には、分光反射率の測定誤差や、カラーチャートＣ１の印刷のばらつき等により、誤差が含まれる可能性がある。そこで、例えば、不適切な補正係数αが算出されてしまう場合を想定し、例えば、０．５≦α≦１．０、０．７５≦α≦１．２５等の範囲にクリッピングすると好適である。
【００３７】
以上の準備処理が終了した後、基準濃度条件を任意の変更濃度条件に設定したときの印刷予測プロファイル２０を作成する。
【００３８】
目標濃度設定部４６を用いて、Ｃ、Ｍ、Ｙ、Ｋの各色に対する所望の目標濃度が設定されると（ステップＳ１１）、目標濃度分光反射率算出部４８は、分光反射率記憶部３６に記憶されている基準濃度分光反射率Ｒstdと、各色の目標濃度に等しい変更濃度に対応して分光反射率差分量記憶部４０に記憶されている分光反射率差分量ＲΔC、ＲΔM、ＲΔY及びＲΔKと、各色の目標濃度に等しい変更濃度に対応して補正係数記憶部４４に記憶されている補正係数αとを（３）式に代入することにより、目標濃度分光反射率Ｒを算出する（ステップＳ１２）。
【００３９】
この場合、例えば、Ｃの基準濃度のみを目標濃度に変更するときには、変更するＣの分光反射率差分量ＲΔCのみを用い、他の分光反射率差分量ＲΔM、ＲΔY、ＲΔKを０として目標濃度分光反射率Ｒを算出する。また、Ｃ及びＭの基準濃度をそれぞれ目標濃度に変更するときには、変更するＣ及びＭの分光反射率差分量ＲΔC及びＲΔMを用い、他の分光反射率差分量ＲΔY、ＲΔKを０として目標濃度分光反射率Ｒを算出する。
【００４０】
ここで、Ｃ、Ｍ、Ｙ、Ｋの４色全ての基準濃度をそれぞれ目標濃度に変更した場合には、（３）式に従って目標濃度分光反射率Ｒを算出することができる。しかしながら、例えば、目標濃度分光反射率Ｒを計算するための対象となるカラーパッチがＣ、Ｍ、Ｙの３色からなる場合、分光反射率差分量ＲΔKは、Ｋの濃度変更に関係なく理想的には０となるはずであるが、実際には、印刷や測定のばらつき等の影響により、０にならない場合がある。
【００４１】
そこで、Ｃ、Ｍ、Ｙ、Ｋの４色全ての基準濃度をそれぞれ目標濃度に変更した場合においても、目標濃度分光反射率Ｒを算出するための対象となるカラーパッチがＣ、Ｍ、Ｙの３色からなる場合には、分光反射率差分量ＲΔKを０に設定して目標濃度分光反射率Ｒを算出することが望ましい。同様に、目標濃度分光反射率Ｒを算出するための対象となるカラーパッチがＣ、Ｍの２色からなる場合は、分光反射率差分量ＲΔY、ＲΔKを０に設定して目標濃度分光反射率Ｒを算出することが望ましい。
【００４２】
なお、補正係数αは、各色の濃度を基準濃度に対して、濃度が増加するプラス側に変更したときと、濃度が減少するマイナス側に変更したときとでそれぞれ算出するようにしてもよい。プラス側に変更したときの補正係数及び分光反射率差分量をα、ＲΔC（＋）、ＲΔM（＋）、ＲΔY（＋）、ＲΔK（＋）、マイナス側に変更したときの補正係数及び分光反射率差分量をβ、ＲΔC（−）、ＲΔM（−）、ＲΔY（−）、ＲΔK（−）と表記するものとすると、各色毎にプラス側及びマイナス側の変更濃度が混在するときの目標濃度分光反射率Ｒは、例えば、Ｃ及びＹのインキをプラス側に変更し、Ｍ及びＫのインキをマイナス側に変更した場合、（３）式に代えて、
Ｒ＝Ｒstd＋α・ＲΔC（＋）＋β・ＲΔM（−）
＋α・ＲΔY（＋）＋β・ＲΔK（−）                      …（５）
とすることができる。なお、補正係数βは、補正係数αの場合と同様に、０．５≦α≦１．０、０．７５≦α≦１．２５等の範囲にクリッピングすると好適である。
【００４３】
また、（５）式の関係式は、各色の濃度の変更量を、基準濃度に対して、例えば、±０．１、±０．２だけ変更して求めた分光反射率差分量を用いて目標濃度分光反射率Ｒを求めるようにしたものである。この場合、設定された目標濃度の基準濃度に対する変更量が±０．１、±０．２以外であるときには、変更量が＋０．１のときの分光反射率差分量ＲΔC、ＲΔM、ＲΔY、ＲΔKと、変更量が＋０．２のときの分光反射率差分量ＲΔC、ＲΔM、ＲΔY、ＲΔKとを補間し、且つ、補正係数α及びβも同様に補間することで、所望の変更量に対する目標濃度分光反射率Ｒを求めることができる。補間方法としては、線形補間、スプライン補間、多項式近似等、周知の方法を用いることができる。
【００４４】
例えば、Ｃの濃度を＋０．１、Ｍの濃度を−０．２、Ｙの濃度を＋０．１５、Ｋの濃度を−０．１だけ変更したときの目標濃度分光反射率Ｒは、
Ｒ＝Ｒstd＋α（０．１）・ＲΔC（＋０．１）
＋β（０．２）・ＲΔM（−０．２）
＋α（０．１５）・ＲΔY（＋０．１５）
＋β（０．１）・ＲΔK（−０．１）                      …（６）
として求めることができる。なお、α（０．１）、β（０．２）、α（０．１５）、β（０．１）及びＲΔC（＋０．１）、ＲΔM（−０．２）、ＲΔY（＋０．１５）、ＲΔK（−０．１）は、濃度の変更量が＋０．１、−０．２、＋０．１５、−０．１のときの補正係数及び分光反射率差分量である。補正係数α（０．１５）は、補正係数α（０．１）及びα（０．２）を補間して求めた補間補正係数であり、分光反射率差分量ＲΔY（＋０．１５）は、分光反射率差分量ＲΔY（＋０．１）及びＲΔY（＋０．２）を補間して求めた補間差分量である。
【００４５】
次いで、印刷予測プロファイル作成部５０は、以上のようにして求められた目標濃度分光反射率Ｒから、例えば、測色値Ｘ、Ｙ、Ｚ又は測色値Ｌ*、ａ*、ｂ*を算出し（ステップＳ１３）、この測色値Ｘ、Ｙ、Ｚ又は測色値Ｌ*、ａ*、ｂ*と、カラーチャートＣ１の作成に使用した画像データＣ１、Ｍ１、Ｙ１、Ｋ１との関係である印刷予測プロファイル２０を作成する（ステップＳ１４）。所望の変更濃度に応じて作成された印刷予測プロファイル２０は、色変換装置１６に設定される。
【００４６】
一方、色変換装置１６から画像データＣ２、Ｍ２、Ｙ２、Ｋ２をプリンタ１８に供給し、カラーチャートＣ１を印刷する場合（ステップＳ１）と同様にして、複数のカラーパッチからなるカラーチャートＣ２を記録媒体上に出力する（図７、ステップＳ２１）。
【００４７】
出力されたカラーチャートＣ２の各カラーパッチは、測色計５２によって測色値、例えば、測色値Ｘ、Ｙ、Ｚ又は測色値Ｌ*、ａ*、ｂ*が測定される（ステップＳ２２）。そして、プリンタプロファイル作成部５４は、測定された測色値Ｘ、Ｙ、Ｚ又は測色値Ｌ*、ａ*、ｂ*と、カラーチャートＣ２の作成に使用した画像データＣ２、Ｍ２、Ｙ２、Ｋ２との関係であるプリンタプロファイル２２を作成する（ステップＳ２３）。作成されたプリンタプロファイル２２は、色変換装置１６に設定される。なお、プリンタプロファイル２２は、変更濃度条件に依存しないため、プリンタ１８の条件が変わらない限り、一度設定するだけでよい。
【００４８】
以上のようにして印刷予測プロファイル２０及びプリンタプロファイル２２を設定した後、所望の画像データＣ１、Ｍ１、Ｙ１、Ｋ１から得られる印刷物Ｐ１に対するプルーフＰ２を作成する。
【００４９】
編集装置１２は、所望の画像データＣ１、Ｍ１、Ｙ１、Ｋ１を作成し、色変換装置１６に供給する（図８、ステップＳ３１）。色変換装置１６では、印刷予測プロファイル２０を用いて、画像データＣ１、Ｍ１、Ｙ１、Ｋ１がデバイスに依存しない測色値、例えば、測色値Ｘ、Ｙ、Ｚ又は測色値Ｌ*、ａ*、ｂ*に変換される（ステップＳ３２）。この場合、印刷予測プロファイル２０は、Ｃ、Ｍ、Ｙ、Ｋの各色が、１００％の網点％において所望の目標濃度となるように調整されている。
【００５０】
次いで、測色値Ｘ、Ｙ、Ｚ又は測色値Ｌ*、ａ*、ｂ*は、プリンタプロファイル２２によってプリンタ１８の出力特性に依存した画像データＣ２、Ｍ２、Ｙ２、Ｋ２に変換され（ステップＳ３３）、この画像データＣ２、Ｍ２、Ｙ２、Ｋ２を用いてプルーフＰ２が作成される（ステップＳ３４）。
【００５１】
なお、印刷予測プロファイル２０及びプリンタプロファイル２２を１つのプロファイルに合成し、このプロファイルを用いて画像データＣ１、Ｍ１、Ｙ１、Ｋ１から直接、画像データＣ２、Ｍ２、Ｙ２、Ｋ２を求めるようにしてもよい。
【００５２】
また、分光反射率測定器３４を用いてカラーチャートＣ１の分光反射率を測定する代わりに、分光濃度計を用いてカラーチャートＣ１の分光濃度を測定し、この分光濃度から印刷予測プロファイル２０を作成することもできる。
【００５３】
この場合、例えば、Ｃ１００％のみからなるカラーチャートＣ１の基準濃度条件での分光濃度をＤC(std)、Ｍ１００％のみからなるカラーチャートＣ１の基準濃度条件での分光濃度をＤM(std)、Ｃ１００％のみからなるカラーチャートＣ１の所定の変更濃度条件での分光濃度を（ＤC(std)＋ΔＤC）、Ｍ１００％のみからなるカラーチャートＣ１の所定の変更濃度条件での分光濃度を（ＤM(std)＋ΔＤM）とすると、Ｃ１００％且つＭ１００％の網点％からなるカラーチャートＣ１を所定の変更濃度条件で作成したときの分光濃度ＤCMは、
ＤCM＝（ＤC(std)＋ΔＤC）＋（ＤM(std)＋ΔＤM）
＝（ＤC(std)＋ＤM(std)）
＋［｛（ＤC(std)＋ＤM(std)）＋ΔＤC｝
−（ＤC(std)＋ＤM(std)）］
＋［｛（ＤC(std)＋ＤM(std)）＋ΔＤM｝
−（ＤC(std)＋ＤM(std)）］                        …（７）
と表すことができる。この場合、（７）式の右辺第１項は、Ｃ１００％且つＭ１００％の網点％からなるカラーチャートＣ１を基準濃度条件で作成したときの基準分光濃度を表し、右辺第２項は、Ｃ１００％且つＭ１００％の網点％からなるカラーチャートＣ１のＣ１００％のみの濃度を所定の変更濃度条件に変更したときの分光濃度の前記基準濃度条件からの差分量を表し、右辺第３項は、Ｃ１００％且つＭ１００％の網点％からなるカラーチャートＣ１のＭ１００％のみの濃度を所定の変更濃度条件に変更したときの分光濃度の前記基準濃度条件での分光濃度からの差分量を表している。
【００５４】
従って、Ｃ及びＭの両方の色の濃度を変更したときの分光濃度ＤCMは、分光反射率ＲCMの場合と同様に、Ｃ又はＭの一方の濃度を固定した状態で他方の濃度を変更させたときの差分量を、基準濃度条件での基準分光濃度（ＤC(std)＋ＤM(std)）に加算して算出することができる。しかも、分光反射率ＲCMを求める（１）式と異なり、誤差となるΔＲC・ΔＲMの項がないため、分光濃度ＤCMを高精度に求めることができる。
【００５５】
この結果、プロファイル作成装置２４において、所望の変更濃度条件でＣ、Ｍ、Ｙ、Ｋを任意の濃度に変更したときの目標分光濃度Ｄは、基準分光濃度をＤstd、Ｃのみの濃度を変更したときの分光濃度差分量をＤΔC、Ｍのみの濃度を変更したときの分光濃度差分量をＤΔM、Ｙのみの濃度を変更したときの分光濃度差分量をＤΔY、Ｋのみの濃度を変更したときの分光濃度差分量をＤΔKとして、（３）式と同様に、
Ｄ＝Ｄstd＋α・（ＤΔC＋ＤΔM＋ＤΔY＋ＤΔK）                …（８）
として高精度に求めることができる。なお、補正係数αは、（４）式の場合と同様にして、各波長毎に求めることができる。（５）式及び（６）式の関係についても同様である。このようにして求められた目標分光濃度Ｄから、印刷予測プロファイル２０を求めることができる。
【００５６】
なお、目標分光濃度Ｄを算出するための対象となるカラーパッチがＣ、Ｍ、Ｙの３色からなる場合には、分光濃度差分量ＤΔKを０に設定して目標分光濃度Ｄを算出することが望ましい。同様に、目標分光濃度Ｄを算出するための対象となるカラーパッチがＣ、Ｍの２色からなる場合は、分光濃度差分量ＤΔY、ＤΔKを０に設定して目標分光濃度Ｄを算出することが望ましい。
【００５７】
また、分光反射率又は分光濃度に代えて、測色濃度又は測色値を用いて印刷予測プロファイル２０を作成することもできる。この場合、測色濃度については、Ｘ濃度、Ｙ濃度、Ｚ濃度毎に補正係数αを求め、測色値については、測色値Ｘ、Ｙ、Ｚ毎に補正係数αを求める。なお、Ｘ濃度、Ｙ濃度、Ｚ濃度とは、分光感度を等色関数ｘ（λ）、ｙ（λ）、ｚ（λ）（λ：波長）としたときの各濃度である。
【００５８】
ところで、上記の各説明では、基準濃度からの濃度変更に対応した印刷予測プロファイル２０を求めるようにしているが、印刷機１４で印刷可能なＣ、Ｍ、Ｙ、Ｋの最大濃度と最小濃度との間の中間濃度を基準濃度として設定し、この中間濃度を基準として作成した基準濃度カラーチャート及び変更濃度カラーチャートに基づいて印刷予測プロファイル２０を作成するようにしてもよい。なお、中間濃度は、最大濃度と最小濃度との平均値、あるいは、最大濃度と最小濃度との間の任意の濃度として設定することができる。
【００５９】
また、印刷機１４により作成される印刷物Ｐ１の色は、印刷に使用する用紙、インキ、ドットゲイン等の印刷条件によって変動するため、色変換装置１６では、これらの印刷条件の変更を考慮した色変換処理を行うことが望ましい。
【００６０】
図９は、色変換装置１６の一部を構成し、ＩＣＣに基づいてプロファイル作成装置２４で作成される印刷予測プロファイル２０を用いて、画像データＣ、Ｍ、Ｙ、Ｋを測色値Ｘ、Ｙ、Ｚ等に変換する色変換モジュール８７を示す。色変換モジュール８７は、画像データＣ、Ｍ、Ｙ、Ｋを、ドットゲインの印刷条件を反映した印刷予測プロファイルに従った画像データＣ、Ｍ、Ｙ、Ｋに変換する入力側１次元ＬＵＴ（ルックアップテーブル）８８と、画像データＣ、Ｍ、Ｙ、Ｋを、インキの印刷条件を反映した印刷予測プロファイルに従った測色値Ｘ、Ｙ、Ｚ等に変換する４次元ＬＵＴ９０と、測色値Ｘ、Ｙ、Ｚ等を、印刷予測プロファイルに従った所望の測色値Ｘ、Ｙ、Ｚ等に変換する出力側１次元ＬＵＴ９２と、測色値Ｘ、Ｙ、Ｚ等を、印刷用紙の印刷条件を反映した印刷予測プロファイルに従った測色値Ｘ、Ｙ、Ｚ等に変換する測色値変換部９４とから構成される。
【００６１】
先ず、印刷用紙を変更する場合について説明する。
【００６２】
ＩＣＣの仕様に従った印刷予測プロファイルの４次元ＬＵＴ９０から出力される測色値は、印刷用紙が基準白色に等しくなるようにした相対値で表される。すなわち、４次元ＬＵＴ９０は、測色値Ｘ、Ｙ、Ｚの場合、印刷用紙（Ｃ＝Ｍ＝Ｙ＝Ｋ＝０）の画像データＣ、Ｍ、Ｙ、Ｋを、基準光源（Ｄ５０光源）の測色値Ｘ、Ｙ、Ｚとなるように、測色値Ｌ*、ａ*、ｂ*の場合、印刷用紙（Ｃ＝Ｍ＝Ｙ＝Ｋ＝０）の画像データＣ、Ｍ、Ｙ、Ｋを、測色値Ｌ*＝１００、ａ*＝ｂ*＝０となるように変換するよう規定されている。
【００６３】
そこで、測色値変換部９４は、プロファイル作成装置２４で作成される印刷予測プロファイルである印刷用紙の測色値Ｘ、Ｙ、Ｚ等（色情報）に従い、前記「相対値」を使用する印刷用紙に応じた「絶対値」に変換する。具体的には、例えば、基準光源（Ｄ５０光源）下における印刷物の絶対測色値は、出力側１次元ＬＵＴ９２から供給される相対測色値と、印刷予測プロファイルである基準光源（Ｄ５０光源）下の印刷用紙の用紙測色値と、基準光源（Ｄ５０光源）の光源測色値とを用いて、
絶対測色値＝相対測色値×用紙測色値÷光源測色値
として求められる。なお、測色値変換部９４に入力される測色値が相対値の測色値Ｌ*、ａ*、ｂ*の場合、相対値の測色値Ｘ、Ｙ、Ｚに変換してから、上式に従い絶対値の測色値Ｘ、Ｙ、Ｚへの変換が行われる。
【００６４】
この場合、使用するインキやドットゲインが変わらないとき、使用する印刷用紙の測色値Ｘ、Ｙ、Ｚ等を印刷予測プロファイルとして与えるだけで、カラーチャートＣ１を印刷することなく、印刷用紙に応じた測色値Ｘ、Ｙ、Ｚ等を得ることができる。なお、ＩＣＣでは、印刷用紙の測色値をメディア白色点タグとして与えるように規定されている。
【００６５】
次に、ドットゲインが変動する場合について説明する。
【００６６】
ドットゲインは、印刷機１４を構成するブランケットの劣化や交換により変動し、また、印刷機１４の温度、湿度によっても変動する。使用するインキが変わらないとき、ドットゲインの変動分を入力側１次元ＬＵＴ８８に反映させることで、ドットゲインの変動を考慮した画像データＣ、Ｍ、Ｙ、Ｋを得ることができる。
【００６７】
そこで、プロファイル作成装置２４では、カラーチャートＣ１における画像データＣ、Ｍ、Ｙ、Ｋの１つと、測色値Ｘ、Ｙ、Ｚ等の１つとの関係に注目し、ドットゲインの変動後のカラーチャートＣ１を印刷して測色することにより、ドットゲインの変動後の画像データＣ、Ｍ、Ｙ、Ｋを印刷予測プロファイルとして作成し、この印刷予測プロファイルを用いて入力側１次元ＬＵＴ８８を修正する。
【００６８】
図１０は、例えば、画像データＣの網点％と測色値Ｘとのドットゲイン変動前後の関係を示す。実線はドットゲインの変動前の関係、点線はドットゲインの変更後の関係である。網点％が０％及び１００％では変動が生じない。なお、画像データＣ、Ｍ、Ｙ、Ｋと測色値Ｘ、Ｙ、Ｚとは、変化が最も大きくなるもの同士を選択することにより、測定による誤差を最小限にすることができる。例えば、画像データＣと測色値Ｘ、画像データＭと測色値Ｙ、画像データＹ（Ｙｅｌｌｏｗ）と測色値Ｚ、画像データＫと測色値Ｙの関係を選択すると好適である。
【００６９】
例えば、図１０において、画像データＣの網点％が６０％のとき、ドットゲイン変動後の測色値Ｘを得ることのできるドットゲイン変動前の画像データＣの網点％は、６８％である。従って、入力される６０％の画像データＣを６８％の画像データＣとして出力するように、入力側１次元ＬＵＴ８８を修正することにより、ドットゲインの影響を考慮した画像データＣを得ることができる。図１１は、これらの関係に基づいて修正された入力側１次元ＬＵＴ８８を示す。なお、実線は、ドットゲイン変動前のＣの入力側１次元ＬＵＴ８８を表し、点線は、ドットゲイン変動後のＣの入力側１次元ＬＵＴ８８を表す。
【００７０】
次に、使用するインキを変更する場合について説明する。
【００７１】
プロファイル作成装置２４は、印刷機１４を基準濃度条件に設定してカラーチャートＣ１を作成し、測色計によりカラーチャートＣ１の測色値、例えば、測色値Ｘ、Ｙ、Ｚを測定する。そして、カラーチャートＣ１の画像データＣ、Ｍ、Ｙ、Ｋに対する測色値Ｘ１、Ｙ１、Ｚ１の関係を印刷予測プロファイルとして求める。次いで、前記基準濃度条件からインキのみを変更した後、同様にして、カラーチャートＣ１の画像データＣ、Ｍ、Ｙ、Ｋに対する測色値Ｘ２、Ｙ２、Ｚ２の関係を印刷予測プロファイルとして求める。
【００７２】
次いで、これらの測色値Ｘ１、Ｙ１、Ｚ１及びＸ２、Ｙ２、Ｚ２の差分量ΔＸ、ΔＹ、ΔＺを求め、この差分量ΔＸ、ΔＹ、ΔＺと画像データＣ、Ｍ、Ｙ、Ｋとの関係を差分ルックアップテーブルとする。プロファイル作成装置２４は、前記差分ルックアップテーブルを用いて、所定の濃度変動条件に対して設定されている印刷予測プロファイルを修正し、修正された印刷予測プロファイルを用いて、画像データＣ、Ｍ、Ｙ、Ｋを測色値Ｘ、Ｙ、Ｚに変換する４次元ＬＵＴ９０を作成する。なお、印刷予測プロファイルを修正するのではなく、既に作成されている基準濃度条件に対する４次元ＬＵＴ９０の出力値である測色値Ｘ、Ｙ、Ｚを修正するようにしてもよい。
【００７３】
このようにして４次元ＬＵＴ９０を作成することにより、必要最小限のカラーチャートＣ１を印刷して測色するだけで、所望の４次元ＬＵＴ９０を得ることができる。また、インキ及び印刷用紙の両方を変更して差分量ΔＸ、ΔＹ、ΔＺを求めることにより、印刷用紙及びインキの両方を考慮した４次元ＬＵＴ９０を得ることができる。
【００７４】
なお、測色計によって測定されるカラーチャートＣ１の測色値は、理想的には、図１２の点線で示すように、濃度変動に対して単調に変化するはずであるが、カラーチャートＣ１の印刷状態のばらつきや、測色誤差の影響により、図１２の実線で示すように、大きく変動した値として測定されてしまうことがある。同様に、測色値差分量についても、図１３の点線で示すように、濃度変動に対して単調に変化するはずであるにも拘わらず、図１０の実線で示すように、大きく変動した値として測定されてしまうことがある。
【００７５】
そこで、これらの測色値又は差分量に対してスムージング処理を施すと好適である。スムージング処理としては、濃度変動方向に隣接する測色値又は差分量を平均化する方法、単調変化から大きく外れている部分のみを、隣接する測色値又は差分量で補間する方法等を採用することができる。分光反射率又は分光反射率差分量、分光濃度又は分光濃度差分量、測色濃度又は測色濃度差分量に対しても、同様にしてスムージング処理を施すと好適である。分光反射率、分光反射率差分量、分光濃度、分光濃度差分量に対しては、波長毎にスムージング処理を施す。
【００７６】
なお、本発明は、上述した実施形態に限定されるものではなく、本発明の主旨を逸脱しない範囲で自由に変更できることは勿論である。
【００７７】
例えば、印刷色予測システム１０では、プリンタ１８を用いてプルーフＰ２を作成するよう構成しているが、プリンタ１８に代えて、例えば、カラーモニタにプルーフＰ２を表示するようにしてもよい。この場合、プロファイル作成装置２４は、カラーモニタに表示させたカラーチャートＣ２を測色することでモニタプロファイルを作成し、このモニタプロファイルを色変換装置１６に設定することになる。
【００７８】
また、Ｃ、Ｍ、Ｙ、Ｋの４色に対する印刷予測プロファイル２０を作成する場合に限られるものではなく、２色以上の任意の色数に対する印刷予測プロファイル２０を作成する場合にも適用することができる。
【００７９】
さらに、印刷物Ｐ１に用いる色材としては、インキに限られるものではなく、例えば、トナーを用いることもできる。
【図面の簡単な説明】
【００８０】
【図１】本実施形態の印刷色予測システムの構成図である。
【図２】図１に示すプロファイル作成装置における印刷予測プロファイルを作成する機能の構成ブロック図である。
【図３】図１に示すプロファイル作成装置におけるプリンタプロファイルを作成する機能の構成ブロック図である。
【図４】印刷予測プロファイルの作成フローチャートである。
【図５】基準濃度条件及び変更濃度条件に対する分光反射率の説明図である。
【図６】基準濃度条件及び変更変動条件に対する分光反射率の説明図である。
【図７】プリンタプロファイルの作成フローチャートである。
【図８】プルーフの作成フローチャートである。
【図９】印刷予測プロファイルのモジュール構成のブロック図である。
【図１０】画像データＣの網点％と測色値Ｘとのドットゲイン変動前後の関係説明図である。
【図１１】入力側１次元ＬＵＴの説明図である。
【図１２】濃度変動量と測色値との関係説明図である。
【図１３】濃度変動量と測色値差分量との関係説明図である。
【符号の説明】
【００８１】
１０…印刷色予測システム
１２…編集装置
１４…印刷機
１６…色変換装置
１８…プリンタ
２０…印刷予測プロファイル
２２…プリンタプロファイル
２４…プロファイル作成装置
３４…分光反射率測定器
３６…分光反射率記憶部
３８…分光反射率差分量算出部
４０…分光反射率差分量記憶部
４２…補正係数算出部
４４…補正係数記憶部
４６…目標濃度設定部
４８…目標濃度分光反射率算出部
５０…印刷予測プロファイル作成部
５２…測色計
５４…プリンタプロファイル作成部
８７…色変換モジュール
８８…入力側１次元ＬＵＴ
９０…４次元ＬＵＴ
９２…出力側１次元ＬＵＴ
９４…測色値変換部
Ｃ１、Ｃ２…カラーチャート
Ｐ１…印刷物
Ｐ２…プルーフ
【図１】
2010074232.tif 000003
【図２】
2010074232.tif 000004
【図３】
2010074232.tif 000005
【図４】
2010074232.tif 000006
【図５】
2010074232.tif 000007
【図６】
2010074232.tif 000008
【図７】
2010074232.tif 000009
【図８】
2010074232.tif 000010
【図９】
2010074232.tif 000011
【図１０】
2010074232.tif 000012
【図１１】
2010074232.tif 000013
【図１２】
2010074232.tif 000014
【図１３】
2010074232.tif 000015